(57)【要約】【課題】  記録トラックがランド状に形成された磁気ディスクにアドレス情報／ＩＤ情報を書き込む。【解決手段】  凸形状のデータエリアと、ユニークエリアと、クロックエリアと、サーボエリアと、アドレス情報／ＩＤ情報エリアにより１セクタが構成され、セクタが複数含まれてなる環状の記録トラックが、中心孔から外周側に向かって複数形成され、記録トラックが着磁されている磁気ディスクにアドレス情報／ＩＤ情報を書き込む情報書込装置において、ユニークエリアを検出する検出部と、クロックエリアに書き込まれている制御信号を読み取る読取部と、固有のアドレス情報／ＩＤ情報を生成する情報生成部と、検出部によりユニークエリアを検出した場合に、読取部で読み取った制御信号に基づいて、当該ユニークエリアと同じセクタに属するアドレス情報／ＩＤ情報エリアに情報生成部で生成した固有のアドレス情報／ＩＤ情報を書き込む書込部とを備える。【選択図】  図１
2006228348.tif 000002
【特許請求の範囲】
【請求項１】
少なくとも、データが書き込まれるデータエリアと、データが書き込まれないユニークエリアと、位相信号検出用のクロック信号が書き込まれるクロックエリアと、サーボ信号が書き込まれるサーボエリアと、アドレス情報／ＩＤ情報が書き込まれるアドレス情報／ＩＤ情報エリアにより１セクタが構成され、上記セクタが複数含まれてなる環状の記録トラックが、中心孔から外周側に向かって複数形成され、上記データエリアと、上記クロックエリアと、上記サーボエリアと、上記アドレスエリアが凸形状に形成され、上記記録トラックに一定周期の制御信号が書き込まれてなる磁気ディスクの上記アドレス情報／ＩＤ情報エリアにアドレス情報／ＩＤ情報を書き込む情報書込装置において、
上記ユニークエリアを検出する検出手段と、
上記クロックエリアに書き込まれている一定周期の制御信号を読み取る読取手段と、
固有のアドレス情報／ＩＤ情報を生成する情報生成手段と、
上記検出手段により上記ユニークエリアを検出した場合に、上記読取手段で読み取った上記制御信号に基づいて、当該ユニークエリアと同じセクタに属するアドレス情報／ＩＤ情報エリアに上記情報生成手段で生成した固有のアドレス情報／ＩＤ情報を書き込む書込手段とを備えることを特徴とする情報書込装置。
【請求項２】
上記書込手段によって上記検出手段で検出されたユニークエリアと同じセクタに属するアドレス情報／ＩＤ情報エリアに固有のアドレス情報／ＩＤ情報の書き込み処理が実行された場合に、当該アドレス情報／ＩＤ情報エリアにはアドレス情報／ＩＤ情報が書き込み済みである旨を登録する登録手段と、
上記書込手段によって一のアドレス情報／ＩＤ情報エリアに固有のアドレス情報／ＩＤ情報を書き込む際に、上記登録手段にアクセスし、当該一のアドレス情報／ＩＤ情報エリアにアドレス情報／ＩＤ情報が書き込まれているかどうかを確認する確認手段と、
上記確認手段により当該一のアドレス情報／ＩＤ情報エリアにすでにアドレス情報／ＩＤ情報が書き込まれていることが確認された場合には、書き込み処理を中止するように上記書込手段を制御する制御手段を備えることを特徴とする請求項１記載の情報書込装置。
【請求項３】
上記書込手段により一の記録トラックに含まれているすべてのセクタのアドレス情報／ＩＤ情報エリアに、それぞれ固有のアドレス情報／ＩＤ情報が書き込まれたことを検出する検出手段と、
上記検出手段の検出結果に基づいて、他のトラックにジャンプさせるトラックジャンプ手段とを備えることを特徴とする請求項１記載の情報書込装置。
【請求項４】
少なくとも、データが書き込まれるデータエリアと、データが書き込まれないユニークエリアと、位相信号検出用のクロック信号が書き込まれるクロックエリアと、サーボ信号が書き込まれるサーボエリアと、アドレス情報／ＩＤ情報が書き込まれるアドレス情報／ＩＤ情報エリアにより１セクタが構成され、上記セクタが複数含まれてなる環状の記録トラックが、中心孔から外周側に向かって複数形成され、上記データエリアと、上記クロックエリアと、上記サーボエリアと、上記アドレスエリアが凸形状に形成され、上記記録トラックに一定周期の制御信号が書き込まれてなる磁気ディスクの上記アドレス情報／ＩＤ情報エリアにアドレス情報／ＩＤ情報を書き込む情報書込方法において、
上記ユニークエリアを検出した場合に、一定時間遅延させ、
上記クロックエリアに書き込まれている一定周期の制御信号に基づいて、当該ユニークエリアと同じセクタに属する上記アドレス情報／ＩＤ情報エリアに対して、アドレス情報／ＩＤ情報部で生成された固有のアドレス情報／ＩＤ情報を書き込むことを特徴とする情報書込方法。
【請求項５】
少なくとも、データが書き込まれるデータエリアと、位相信号検出用のクロック信号が書き込まれるクロックエリアと、サーボ信号が書き込まれるサーボエリアと、アドレス情報／ＩＤ情報が書き込まれるアドレス情報／ＩＤ情報エリアにより１セクタが構成され、上記セクタが複数含まれてなる環状の記録トラックが、中心孔から外周側に向かって複数形成されてなる磁気ディスクを製造する磁気ディスク製造装置において、
固有のアドレス情報／ＩＤ情報を生成するアドレス情報／ＩＤ情報生成手段と、
上記アドレス情報／ＩＤ情報生成手段により生成されたアドレス情報／ＩＤ情報に基づいて、適宜上記アドレス／ＩＤエリア形状を変化させ、上記アドレス情報／ＩＤ情報エリアをエッチングするエッチング手段とを備えることを特徴とする磁気ディスク製造装置。
【請求項６】
少なくとも、データが書き込まれるデータエリアと、位相信号検出用のクロック信号が書き込まれるクロックエリアと、サーボ信号が書き込まれるサーボエリアと、アドレス情報／ＩＤ情報が書き込まれるアドレス情報／ＩＤ情報エリアにより１セクタが構成され、上記セクタが複数含まれてなる環状の記録トラックが、中心孔から外周側に向かって複数形成されてなる磁気ディスクを製造する磁気ディスク製造方法において、
固有のアドレス情報／ＩＤ情報を生成するアドレス情報／ＩＤ情報生成部により生成されたアドレス情報／ＩＤ情報に基づいて、適宜上記アドレス／ＩＤエリア形状を変化させ、上記アドレス情報／ＩＤ情報エリアをエッチングすることにより、各アドレス情報／ＩＤ情報エリアにそれぞれ固有のアドレス情報／ＩＤ情報を書き込むことを特徴とする磁気ディスク製造方法。
【請求項７】
少なくとも、データが書き込まれるデータエリアと、位相信号検出用のクロック信号が書き込まれるクロックエリアと、サーボ信号が書き込まれるサーボエリアと、アドレス情報／ＩＤ情報が書き込まれるアドレス情報／ＩＤ情報エリアにより１セクタが構成され、上記セクタが複数含まれてなる環状の記録トラックが、中心孔から外周側に向かって複数形成されてなる磁気ディスクにおいて、
上記データエリア、上記クロックエリア、上記サーボエリア及び上記アドレス情報／ＩＤ情報エリアがそれぞれ凸部形状に形成され、
上記アドレス情報／ＩＤ情報エリアは、固有のアドレス情報／ＩＤ情報を生成するアドレス情報／ＩＤ情報生成部により生成されたアドレス情報／ＩＤ情報に基づいて、適宜所定形状の凸部及び／又は凹部が形成され、各アドレス情報／ＩＤ情報エリアにそれぞれ固有のアドレス情報／ＩＤ情報が書き込まれてなることを特徴とする磁気ディスク。
【発明の詳細な説明】
【技術分野】
【０００１】
本発明は、磁気ディスクにアドレス情報／ＩＤ情報を書き込む情報書込装置及び方法と、磁気ディスクを製造する磁気ディスク製造装置及び方法と、磁気ディスクに関する。
【背景技術】
【０００２】
現在、磁気記録再生装置は、大容量を実現するために高密度化の傾向にある。代表的な磁気記憶装置であるハードディスクドライブの分野においては、すでに面記録密度１Ｇｂｉｔ／ｉｎ２を超える装置が商品化されている。
【０００３】
ところで、ハードディスクは、水平方向に平坦なディスクであり、中心孔から外周に向かって同心円状に記録トラックが形成されてなっているが、隣接する記録トラック同士は物理的に独立していない連続した区画となっている。このようなハードディスクにおいては、半径方向の密度、つまりトラックピッチは、以下の要因で再生信号のＳ／Ｎに影響してしまう。
【０００４】
１．記録ヘッドのディスク半径方向の幅Ｗｗ
記録ヘッドによりデータを記録するに際して、当然のことながら記録ヘッドの幅Ｗｗが広いほど形成される記録マークの幅は大きなサイズとなる。また、記録マークの幅は、記録ヘッドの漏れ磁界により、ハードディスクの半径方向に対してにじみ現象が生じてしまい、実際には、記録ヘッドの幅Ｗｗ以上の大きさになる。ゆえに、記録マークの幅は、記録ヘッドによって形成される部分（記録ヘッド幅と同等程度の幅）と、にじみ現象によって形成される部分とからなる。このにじみ現象により形成されている部分からは正確な再生信号を得ることはできない。
【０００５】
したがって、記録ヘッドの幅Ｗｗを記録トラックの幅Ｗと同等程度にすると、隣接する記録トラックに対して余分な信号を書き込むことになり、隣接する記録トラックに形成されている記録マークを浸食してしまう。このように記録マークが浸食されてしまうと、再生ヘッドにより漏れ磁界を検出する際に、再生信号のＳ／Ｎの劣化につながる。ゆえに、記録ヘッドの幅Ｗｗは、記録トラックの幅Ｗよりも狭くする必要がある（Ｗｗ＜Ｗ）。
【０００６】
２．再生ヘッドのディスク半径方向の幅Ｗｒ
一方、記録マークの漏れ磁界から高感度な再生信号を得るためには、上述した記録時のにじみ現象により形成された部分からの漏れ磁界を検出しないようにする必要があり、記録マークの幅に対して再生ヘッドの幅Ｗｒを等しいか、若しくはそれよりも狭くする必要がある。特に、再生動作時のサーボの偏差により記録トラックの中心を常にトレースできるわけではないので、その分を見込んだヘッド幅にする必要がある。一方で、再生ヘッドの幅Ｗｒを狭くすると得られる再生信号が小さくなるため、Ｓ／Ｎが劣化してしまうので、狭くし過ぎることもできない。
【０００７】
したがって、上述の１．及び２．から、再生ヘッドの幅Ｗｒと、記録ヘッドの幅Ｗｗと、記録トラックの幅Ｗの関係は、
再生ヘッドの幅Ｗｒ＜記録ヘッドの幅Ｗｗ＜記録トラックの幅Ｗ
となる。ゆえに、記録トラックの幅Ｗすべてを使って記録マークの形成はできず、一方で、形成された記録マークの幅をすべて再生対象にできるわけではない、ということになる。
【０００８】
そこで、現在、ハードディスクの高密度化の技術としてＤＴＲ（Discrete Track Recording）といわれる手法が提案されている。ＤＴＲは、上述した記録トラックのピッチに対する問題を軽減しようとする技術である。具体的には、記録トラックと記録トラックの間に物理的な溝を設けて隣接する記録トラック同士をそれぞれ独立させ、溝内からの漏れ磁界が再生ヘッドに届かないように、すなわち再生ヘッドが漏れ磁界を検出しない程度の溝深さ及び溝形状となるように形成されたハードディスクである。
【０００９】
ＤＴＲにより隣接する記録トラックの間に溝が形成されてなるハードディスクにおいては、にじみ現象を考慮する必要がないため、記録ヘッドの幅Ｗｗを記録トラック（ランド部）の幅Ｗよりも大きくすることができるので、記録マークをランド部の幅いっぱいに形成することができ、上述した１．を解消することができる。また、にじみ現象により形成された部分を考慮する必要がないため、再生ヘッドの幅Ｗｒをランド部の幅Ｗより大きくすることができるので、サーボの偏差があってもランド部の幅Ｗをすべて再生することができ、上述した２．を解消することができる。
【００１０】
つまり、再生可能な記録マークの幅は、ランド部(＝記録マーク)の幅Ｗできまり、ＤＴＲを利用しない、すなわち隣接する記録トラック間に溝がないハードディスク上に形成される記録マーク幅よりも大きく形成できるため、トラックピッチに対するＳ／Ｎを高感度にすることができる。
【００１１】
ところで、ハードディスクは、磁性材料で構成されており、サーボ等の情報もＳ極／Ｎ極の磁気信号で記録されている。これまで、サーボ信号や、ディスク位置信号の書き込みには、ハードディスクをセットに組み込む前に冶具等を用いて行っていた。
【００１２】
ＤＴＲを用いたハードディスクでは、ディスク製造時に凸部として記録トラックが形成されるため、記録トラックに沿う形で、サーボ情報を書き込むことが必要となる。そのための方式として、出願人は、特許文献１に示す方法を提案した。特許文献１では、外部交番磁界を用いて繰り返し信号をハードディスクに着磁することによりサーボ信号を書き込む方式を提案している。
【００１３】
【特許文献１】特許第２８６３１９０号
【発明の開示】
【発明が解決しようとする課題】
【００１４】
ところで、ＤＴＲを用いたハードディスクに対しても、従来のハードディスクと同様に、アドレスの情報やＩＤ情報（ディスクの角度情報を求めるための情報等）を書き込む必要がある。
【００１５】
そこで、本発明では、ＤＴＲにより隣接する記録トラック間に溝が形成されてなる磁気ディスクに対して、アドレス情報／ＩＤ情報を書き込むための情報書込装置及び方法と、アドレス情報／ＩＤ情報が書き込まれた磁気ディスクを製造する磁気ディスク製造装置及び方法と、磁気ディスクを提供する。
【課題を解決するための手段】
【００１６】
本発明に係る情報書込装置は、上述の課題を解決するために、少なくとも、データが書き込まれるデータエリアと、データが書き込まれないユニークエリアと、位相信号検出用のクロック信号が書き込まれるクロックエリアと、サーボ信号が書き込まれるサーボエリアと、アドレス情報／ＩＤ情報が書き込まれるアドレス情報／ＩＤ情報エリアにより１セクタが構成され、セクタが複数含まれてなる環状の記録トラックが、中心孔から外周側に向かって複数形成され、データエリアと、クロックエリアと、サーボエリアと、アドレスエリアが凸形状に形成され、記録トラックに一定周期の制御信号が書き込まれてなる磁気ディスクのアドレス情報／ＩＤ情報エリアにアドレス情報／ＩＤ情報を書き込む情報書込装置において、ユニークエリアを検出する検出手段と、クロックエリアに書き込まれている一定周期の制御信号を読み取る読取手段と、固有のアドレス情報／ＩＤ情報を生成する情報生成手段と、検出手段によりユニークエリアを検出した場合に、読取手段で読み取った制御信号に基づいて、当該ユニークエリアと同じセクタに属するアドレス情報／ＩＤ情報エリアに情報生成手段で生成した固有のアドレス情報／ＩＤ情報を書き込む書込手段とを備える。
【００１７】
また、本発明に係る情報書込方法は、上述の課題を解決するために、少なくとも、データが書き込まれるデータエリアと、データが書き込まれないユニークエリアと、位相信号検出用のクロック信号が書き込まれるクロックエリアと、サーボ信号が書き込まれるサーボエリアと、アドレス情報／ＩＤ情報が書き込まれるアドレス情報／ＩＤ情報エリアにより１セクタが構成され、セクタが複数含まれてなる環状の記録トラックが、中心孔から外周側に向かって複数形成され、データエリアと、クロックエリアと、サーボエリアと、アドレスエリアが凸形状に形成され、記録トラックに一定周期の制御信号が書き込まれてなる磁気ディスクのアドレス情報／ＩＤ情報エリアにアドレス情報／ＩＤ情報を書き込む情報書込方法において、ユニークエリアを検出した場合に、一定時間遅延させ、クロックエリアに書き込まれている一定周期の制御信号に基づいて、当該ユニークエリアと同じセクタに属するアドレス情報／ＩＤ情報エリアに対して、アドレス情報／ＩＤ情報部で生成された固有のアドレス情報／ＩＤ情報を書き込む。
【００１８】
また、本発明に係る磁気ディスク製造装置は、上述の課題を解決するために、少なくとも、データが書き込まれるデータエリアと、位相信号検出用のクロック信号が書き込まれるクロックエリアと、サーボ信号が書き込まれるサーボエリアと、アドレス情報／ＩＤ情報が書き込まれるアドレス情報／ＩＤ情報エリアにより１セクタが構成され、上記セクタが複数含まれてなる環状の記録トラックが、中心孔から外周側に向かって複数形成されてなる磁気ディスクを製造する磁気ディスク製造装置において、固有のアドレス情報／ＩＤ情報を生成するアドレス情報／ＩＤ情報生成手段と、上記アドレス情報／ＩＤ情報生成手段により生成されたアドレス情報／ＩＤ情報に基づいて、適宜上記アドレス／ＩＤエリア形状を変化させ、上記アドレス情報／ＩＤ情報エリアをエッチングするエッチング手段とを備える。
【００１９】
また、本発明に係る磁気ディスク製造方法は、上述の課題を解決するために、少なくとも、データが書き込まれるデータエリアと、位相信号検出用のクロック信号が書き込まれるクロックエリアと、サーボ信号が書き込まれるサーボエリアと、アドレス情報／ＩＤ情報が書き込まれるアドレス情報／ＩＤ情報エリアにより１セクタが構成され、上記セクタが複数含まれてなる環状の記録トラックが、中心孔から外周側に向かって複数形成されてなる磁気ディスクを製造する磁気ディスク製造方法において、固有のアドレス情報／ＩＤ情報を生成するアドレス情報／ＩＤ情報生成部により生成されたアドレス情報／ＩＤ情報に基づいて、適宜上記アドレス／ＩＤエリア形状を変化させ、上記アドレス情報／ＩＤ情報エリアをエッチングすることにより、各アドレス情報／ＩＤ情報エリアにそれぞれ固有のアドレス情報／ＩＤ情報を書き込むことを特徴とする。
【００２０】
さらに、本発明に係る磁気ディスクは、上述の課題を解決するために、少なくとも、データが書き込まれるデータエリアと、位相信号検出用のクロック信号が書き込まれるクロックエリアと、サーボ信号が書き込まれるサーボエリアと、アドレス情報／ＩＤ情報が書き込まれるアドレス情報／ＩＤ情報エリアにより１セクタが構成され、上記セクタが複数含まれてなる環状の記録トラックが、中心孔から外周側に向かって複数形成されてなる磁気ディスクにおいて、上記データエリア、上記クロックエリア、上記サーボエリア及び上記アドレス情報／ＩＤ情報エリアがそれぞれ凸部形状に形成され、上記アドレス情報／ＩＤ情報エリアは、固有のアドレス情報／ＩＤ情報を生成するアドレス情報／ＩＤ情報生成部により生成されたアドレス情報／ＩＤ情報に基づいて、適宜所定形状の凸部及び／又は凹部が形成され、各アドレス情報／ＩＤ情報エリアにそれぞれ固有のアドレス情報／ＩＤ情報が書き込まれてなる。
【発明の効果】
【００２１】
本願発明によれば、記録トラック上のユニークエリアを検出することにより、アドレス情報／ＩＤ情報の書き込みタイミングを遅延させ、当該遅延中にクロッキングエリアから読み出したクロッキング情報に基づいてＰＥＳエリアからサーボ信号を読み出してヘッド部のトラッキング制御を行い、検出したユニークエリアと同じセクタに属するアドレス情報／ＩＤ情報エリアに遅延させていたアドレス情報／ＩＤ情報をクロッキング情報に基づいて書き込むことができる。
【００２２】
また、本願発明では、磁気ディスクを筐体に組み込んで出荷する前に、製造ラインにおいて磁気ディスク全面に渡ってアドレス情報／ＩＤ情報の書き込みを行っても良いし、また、磁気ディスクを筐体に組み込んで出荷した後、若しくは製造ラインのアウト後、磁気ディスクにデータの記録を行うときにホスト側から記録開始コマンドが発行される度に、記録トラックごとにアドレス情報／ＩＤ情報の書き込みを行っても良い。とくに、後者のようにすれば、セット量産時のタクトタイムを下げることができる。
【００２３】
また、本願発明では、クロッキング情報エリア、サーボ情報エリア、アドレス／ＩＤ情報を配置する順番に制約はなく、また、ユニークエリアを除いては特殊な情報を必要としていないため、磁気ディスクに書き込む信号のフォーマットを、既存の磁気ディスク再生システムに搭載されているＩＣに採用されているフォーマットに近い形のフォーマットにできるため、既存のＩＣの流用がしやすい特徴がある。
【００２４】
また、本願発明では、磁気ディスクの製造過程において、アドレス情報／ＩＤ情報に基づいて、各アドレス情報／ＩＤ情報エリアにエッチング等によりアドレス情報／ＩＤ情報を形成（書き込んでおく）するので、別工程によってアドレス情報／ＩＤ情報を書き込む必要がないためタクトタイムを下げることができる。
【発明を実施するための最良の形態】
【００２５】
以下、本発明の実施の形態について、図面を参照しながら詳細に説明する。
【００２６】
図１は、本発明に係る磁気ディスクの作製方法の一例に従って得られた磁気ディスクの一例を示す。この例においては、例えば、アルミニウム材によってディスク状に形成された基体１０に中央孔１１が設けられ、さらに、基体１０の表面の中央孔１１の周囲に、磁性層が設けられたものとされた記録領域部１２が形成されている。そして、記録領域部１２においては、中央孔１１を包囲して同心円状に形成された多数の記録トラックＴＮに、情報データが、読取時にトラッキング・サーボコントロール用情報が得られるような態様をもって書き込まれる。
【００２７】
各記録トラックＴＮにおけるセクタＳＮのそれぞれにおいては、図２に示すように、コントロール情報記録領域ＡＳとデータ情報記録領域ＡＤとが形成される記録パターンが得られるものとされ、データ情報記録領域ＡＤには、記録トラックＴＮに沿う方向に伸び、ハッチングが施されて示される部分から垂直方向に突出する平頂凸部（以下、ランド部という。）とされるとともに、磁性層が設けられた、区分データ情報エリア２０が形成されている。また、コントロール情報記録領域ＡＳには、記録トラックＴＮに直交する方向に伸び、ハッチングが施されて示される部分から垂直方向に突出するランド部とされるとともに、磁性層が設けられた、アドレス情報等が書き込まれるアドレス情報／ＩＤ情報エリア２１と、記録・再生ヘッドのトラッキングを行う際に利用されるサーボ信号が書き込まれるＰＥＳ（Position Error Signal）エリア２２と、一定周期のクロック情報が書き込まれるクロッキングエリア２３が形成されている。また、コントロール情報記録領域ＡＳには、凹部（以下、グルーブ部という。）とされるユニークエリア２４が形成されている。
【００２８】
このような構成のもとにあっては、記録領域部１２において、多数の同心円状に形成された記録トラックＴＮのそれぞれが、各セクタＳＮにおけるコントロール情報記録領域ＡＳを遮断部分とし、かかる遮断部分を介して断続するものとされて中央孔１１を包囲する複数の区分データ情報エリア２０から成るデータ情報記録部と、データ情報記録部についての遮断部分であるコントロール情報記録領域ＡＳのそれぞれに所定のパターンをもって配されたアドレス情報／ＩＤ情報エリア２１と、ＰＥＳエリア２２と、クロッキングエリア２３とを含んで形成されることになる。
【００２９】
そして、各区分データ情報エリア２０に設けられた磁性層、及びアドレス情報／ＩＤ情報エリア２１と、ＰＥＳエリア２２と、クロッキングエリア２３に設けられた磁性層に、各々に共通の信号、即ち、同一の信号による着磁あるいは同一の信号の書き込みがなされたものとされる。
【００３０】
ここで、上述した作製方法によって作成された磁気ディスク１のＰＥＳエリア２２を含む要部の詳細について、図３を参照しながら説明する。図３では、基体１０における記録領域部１２の表面に、その全体に亙って、例えば、ニッケル・リン層４１が設けられ、そのニッケル・リン層４１上に、クロム層４２、磁性層４３、カーボン等から成る保護層４４及び潤滑剤層４５が、順次積層された部分が局部的に設けられて、ＰＥＳエリア２２が形成されている。
【００３１】
これら区分データ情報エリア２０、アドレス情報／ＩＤ情報エリア２１、ＰＥＳエリア２２、及びクロッキングエリア２３は、例えば、基体１０における記録領域部１２とされるべき表面に、その全体に亙って、ニッケル・リン層４１，クロム層４２，磁性層４３，保護層４４及び潤滑剤層４５が順次積層されて、積層構成部が形成され、その後、積層構成部に対して、区分データ情報エリア２０、アドレス情報／ＩＤ情報エリア２１、ＰＥＳエリア２２、及びクロッキングエリア２３のそれぞれが形成されるべき部分の形状に応じたマスキングが施されたもとでエッチングが行われ、それにより、クロム層４２，磁性層４３，保護層４４及び潤滑剤層４５におけるマスキングが施された部分以外の部分が除去された後、マスキングが取り除かれることにより形成される。
【００３２】
また、図４にＰＥＳエリア２２を含む部分の他の具体構成例を示す。この例においては、基体１０における記録領域部１２とされるべき部分において、ＰＥＳエリア２２が形成されるべき位置の周囲部分が凹部２１’を形成するものとされ、その結果、ＰＥＳエリア２２が形成されるべき位置が凹部２１’に比して上方に突出するものとされている。そして、凹部２１’が形成された基体１０における記録領域部１２とされるべき部分に、その全体に亙って、例えば、ニッケル・リン層４１，クロム層４２，磁性層４３，カーボン等から成る保護層４４及び潤滑剤層４５が順次積層され、それにより、ＰＥＳエリア２２が形成されるべき位置上にニッケル・リン層４１，クロム層４２，磁性層４３，保護層４４及び潤滑剤層４５の積層構造が設けられて、ＰＥＳエリア２２が形成されている。
【００３３】
これらの区分データ情報エリア２０、アドレス情報／ＩＤ情報エリア２１、ＰＥＳエリア２２、及びクロッキングエリア２３は、例えば、基体１０における記録領域部１２とされるべき部分に、区分データ情報エリア２０、アドレス情報／ＩＤ情報エリア２１、ＰＥＳエリア２２、及びクロッキングエリア２３のそれぞれが形成されるべき部分の形状に応じたマスキングが施されたもとでエッチングが行われて、マスキングが施された部分以外の部分に凹部２１’が形成され、その後、凹部２１’が形成された基体１０における記録領域部１２とされるべき部分の表面に、それからマスキングが取り除かれた後、全体に亙り、ニッケル・リン層４１，クロム層４２，磁性層４３，保護層４４及び潤滑剤層４５が順次積層されて積層構成部が形成されることにより形成される。
【００３４】
つぎに、上述のようにして形成される区分データ情報エリア２０、アドレス情報／ＩＤ情報エリア２１、ＰＥＳエリア２２、及びクロッキングエリア２３に、共通の信号、即ち、同一の信号の書込みを行うことにより、Ｎ極とＳ極を交互に着磁する信号書込システムの一例について、図５を参照して説明する。なお、この着磁は、一般に磁気ディスクの初期化と呼ばれている。
【００３５】
この例においては、基体２１における記録領域部１２とされるべき部分に、区分データ情報エリア２０、アドレス情報／ＩＤ情報エリア２１、ＰＥＳエリア２２、クロッキングエリア２３及びユニークパターンエリア２４が設けられた磁気ディスク１が、ディスクテーブル３１に装着され、ディスク駆動モータ３２により所定の回転数、例えば、３，６００ｒｐｍで回転駆動される。このようにして回転される磁気ディスク１の基体２１における記録領域部１２とされるべき部分に、例えば、ヘッド幅を１ｍｍ程度とする書込用磁気ヘッド３３が、ヘッドスライダ３４に組み込まれて対向するように配設される。そして、ヘッドスライダ３４が磁気ディスク１に対してごくわずか、例えば、１μ程度浮上させられ、ヘッド駆動部３５によって、磁気ディスク１の径方向に移動させられ、書込用磁気ヘッド３３に、信号源３６からの所定の周波数の書込信号Ｓｆが供給される。ここで、その周波数は磁気ディスク上に形成したい磁気マークの長さに依存する。その結果、磁気ディスク１の基体２１における記録領域部１２とされるべき部分に設けられたランド部（区分データ情報エリア２０、アドレス情報／ＩＤ情報エリア２１、ＰＥＳエリア２２、及びクロッキングエリア２３）に、それらの全体に亙って、書込信号Ｓｆが同一の信号として書き込まれる。
【００３６】
このようにして、磁気ディスク１の記録領域部１２に凸形状で形成されている区分データ情報エリア２０、アドレス情報／ＩＤ情報エリア２１、ＰＥＳエリア２２、及びクロッキングエリア２３に、書込信号ＳｆにしたがってＮ極とＳ極が交互に着磁される（図６）。ところで、書込信号ＳｆにしたがってＮ極とＳ極が交互に着磁されている磁気ディスク１を用いて実際にデータを書き込む場合には、データ書き込みの基準となる情報（アドレス情報やＩＤ情報）が必要となる。
【００３７】
ここで、書込信号ＳｆにしたがってＮ極とＳ極が交互に着磁されている、すなわち初期化された後の磁気ディスク１に、アドレス情報／ＩＤ情報を書き込む方法について説明する。
【００３８】
情報書込装置３は、図７に示すように、磁気ディスク１が装着されるテーブル５０と、テーブル５０を回転駆動する回転駆動部５１と、磁気ディスク１にアクセスしデータの書き込み及び読み出しを行うオーバーライトヘッド（ＯＷＨ）部５２と、ＯＷＨ部５２を駆動するボイスコイルモータ（ＶＣＭ）５３と、ＯＷＨ部５２から供給される信号を増幅するヘッドアンプ部５４と、ヘッドアンプ部５４を介して供給される信号からユニークエリア２４を検出するユニークエリア検出部５５と、ユニークエリア検出部５５によりユニークエリア２４を検出した場合に、一定期間信号を遅延させる遅延カウンタ５６と、固有のアドレス情報／ＩＤ情報を発生するアドレス情報／ＩＤ情報発生部５７と、クロッキングエリア２３に書き込まれている信号に基づいてＰＬＬ処理を行い、処理後のクロック信号をユニークエリア検出部５５、遅延カウンタ５６及びアドレス情報／ＩＤ情報発生部５７に供給するＰＬＬ部５８と、アドレス情報／ＩＤ情報発生部５７を制御するマイクロコンピュータ５９と、データの格納に用いられるＦｌａｓｈ ＲＯＭ部６０と、ヘッドアンプ部５４と、マイクロコンピュータ５９から供給される信号に基づき、ＶＣＭ５３を制御する制御部６１とを備えている。
【００３９】
ステップＳＴ１において、情報書込装置３は、ＯＷＨ部５２により、テーブル５０に装着されている初期化後の磁気ディスク１の記録トラックＴＮにアクセスする。磁気ディスク１のクロッキングエリア２３及びＰＥＳエリア２２には、上述した初期化作業によってクロッキング情報及びサーボ情報が書き込まれている。情報書込装置３では、クロッキングエリア２３に書き込まれているクロッキング情報に基づいてＰＬＬ部５８でクロック信号を生成し、生成したクロック信号に基づいてＰＥＳエリア２２に書き込まれているサーボ情報を読み出し、読み出したサーボ情報に基づいてＯＷＨ部５２のトラッキング制御を行う。
【００４０】
ステップＳＴ２において、情報書込装置３は、ユニークエリア２４の検出を行う。情報書込装置３では、ＰＬＬ部５８で生成されるクロック信号に基づき、ヘッドアンプ部５４より供給される信号（ＲＦ信号）からユニークエリア２４の検出をユニークエリア検出部５５で行う。ユニークエリア２４は、上述したように、凹形状に形成されているため、ＯＷＨ部５２は、ユニークエリア２４を無信号エリアとして認識する。また、ユニークエリア検出部５５は、無信号状態を一定時間以上連続して検出した場合には、ユニークエリア２４であると認識する。
【００４１】
ステップＳＴ３において、情報書込装置３は、ステップＳＴ２の工程によりユニークエリア２４を検出した場合には、アドレス情報／ＩＤ情報発生部５７による固有のアドレス情報／ＩＤ情報の発生を一定期間（時間）遅延する。なお、遅延させる一定期間（時間）は、ユニークエリア２４からアドレス情報／ＩＤ情報エリア２１までの期間（時間）である（図８）。
【００４２】
ステップＳＴ４において、情報書込装置３は、ステップＳＴ３の工程によりアドレス情報／ＩＤ情報の発生を一定期間（時間）遅延した後、当該アドレス情報／ＩＤ情報をアドレス情報／ＩＤ情報エリア２１に書き込む。
【００４３】
ここで、ステップＳＴ３の工程とステップＳＴ４の工程について詳述する。情報書込装置３は、ユニークエリア２４を検出した後、ＰＬＬ部５８から供給されるクロック信号に基づいてＰＥＳエリア２２に書き込まれているサーボ信号を読み出し、読み出したサーボ信号に基づいてＯＷＨ５２をトラッキング制御し、ＰＬＬ部５８から供給されるクロック信号に基づいて、アドレス情報／ＩＤ情報エリア２１に遅延させていたアドレス情報／ＩＤ情報を書き込む。
【００４４】
また、情報書込装置３は、装置を起動した直後にアドレス情報／ＩＤ情報が書き込まれているかどうかを確認する。情報書込装置３は、この確認作業によって、アドレス情報／ＩＤ情報エリア２１にアドレス情報／ＩＤ情報を書き込むかどうかを判断する。ここで確認作業の方法について説明する。情報書込装置３は、ＯＷＨ５２によりテーブル５０に装着されている磁気ディスク１にアクセスし、区分データ情報エリア２０、又はアドレス情報／ＩＤ情報エリア２１に繰り返し信号が書き込まれているかどうかを確認し、繰り返し信号が書き込まれていることを確認した場合には、アドレス情報／ＩＤ情報エリア２１にアドレス情報／ＩＤ情報が未記録である、と判断し、当該アドレス情報／ＩＤ情報エリア２１にアドレス情報／ＩＤ情報の書き込み作業を実行する。
【００４５】
また、情報書込装置３は、一のアドレス情報／ＩＤ情報エリア２１にアドレス情報／ＩＤ情報を書き込んだ際に、当該一のアドレス情報／ＩＤ情報エリア２１にアドレス情報／ＩＤ情報を書き込んだ旨の情報をＦｌａｓｈ ＲＯＭ６０に登録しておく。情報書込装置３は、Ｆｌａｓｈ ＲＯＭ６０に登録されている情報を参照し、アドレス情報／ＩＤ情報エリア２１にアドレス情報／ＩＤ情報が記録済みかどうかの確認を行う。
【００４６】
つぎに、アドレス情報／ＩＤ情報を書き込むタイミング（時期）について説明する。
【００４７】
磁気ディスクを筐体に組み込んで出荷する前に、製造ラインにおいて磁気ディスク全面に渡ってアドレス情報／ＩＤ情報の書き込みを行っても良いし、また、磁気ディスクを筐体に組み込んで出荷した後、若しくは製造ラインのアウト後に、磁気ディスクに実際にデータの記録を行う際に、ホスト側から記録開始コマンドが発行される度に、アドレス情報／ＩＤ情報の書き込みを行っても良い。
【００４８】
後者の場合には、当該コマンドがドライブとして記録動作したことがあるかどうかを判定し、記録動作したことがあると判定された場合には、区分データ情報エリア２０にのみデータの記録動作をおこない、一方、記録動作したことがないと判定された場合には、アドレス情報／ＩＤ情報エリア２１にアドレス情報／ＩＤ情報を記録し、かつ、区分データ情報エリア２０にデータの記録を行う。なお、後者の方法は、前者の方法に対し、ラインでのタクトタイムを軽減することが可能となる。
【００４９】
また、アドレス情報／ＩＤ情報を、クロッキング信号と同一周波数の繰り返し信号が存在するか、又は存在しないかによって検出できるように磁気ディスクを製造しても良い。つまり、例えば、ある一定の時間、繰り返し信号が存在した場合を「１」とし、繰り返し信号が全く存在ない場合を「０」として検出できるように磁気ディスクをエッチングにより加工する。具体的には、アドレス情報／ＩＤ情報に基づいてアドレス情報／ＩＤ情報エリア２１をＤＴＲにより凹凸形状に彫り込み加工（エッチング）しておく（図９（Ａ））。
【００５０】
このようにアドレス情報／ＩＤ情報エリア２１が凹凸形状に加工されている磁気ディスクを初期化した場合（図９（Ｂ））、凹部からは信号が再生されず、凸部から信号が再生される。このとき再生される信号は、凸部の接線方向の長さに応じた時間だけ初期化時の繰り返し信号となる。
【００５１】
ここで、図１０に磁気ディスクを再生して得られた信号波形を示す。図中の再生信号は、磁気ディスクから直接読み出したＲＦ信号の波形を示し、アドレス情報は、再生信号のアドレス情報／ＩＤ情報エリア２１に書き込まれている（凹凸形状に形成されている）信号を復号した結果を示している。
【００５２】
また、初期化後（単一周波数の繰り返し信号書き込み後）の磁気ディスクのアドレス情報／ＩＤ情報エリア２１から得られる再生信号は、アドレス情報／ＩＤ情報エリア２１に形成されている凹凸形状に依存し、当該凹凸形状に応じて繰り返し信号の有り又は無しによって検出される。
【００５３】
クロッキングエリア２３に書き込まれているクロック情報に基づいて、アドレス情報／ＩＤ情報エリア２１に書き込まれている繰り返し信号に対する位相情報及び周波数情報の同期を行い、ある一定のクロック数、例えば、ｍクロック間に繰り返し信号が現れたら「１」と定義し、一方、繰り返し信号が存在しなかったら「０」と定義することで、ｍクロックごとに情報を１ bitづつ埋め込むことができる。
【００５４】
図１０では、繰り返し信号が３〜４個のときには「１」とし、繰り返し信号がないときには「０」としている。
【００５５】
このようにして、本願発明では、記録領域部１２に同心円状に形成されている各記録トラックＴＮの区分データ情報エリア２０、アドレス情報／ＩＤ情報エリア２１、ＰＥＳエリア２２、クロッキングエリア２３が凸形状に形成され、区分データ情報エリア２０とクロッキングエリア２３との間に凹形状のユニークエリア２４が形成されてなり、Ｎ極とＳ極とが交互に着磁されてなる磁気ディスク１において、ユニークエリア２４を検出することにより、アドレス情報／ＩＤ情報の書き込みタイミングを遅延させ、当該遅延中にクロッキングエリア２３から読み出したクロッキング情報に基づいてＰＥＳエリア２２からサーボ信号を読み出してヘッド部のトラッキング制御を行い、検出したユニークエリア２４と同じセクタに属するアドレス情報／ＩＤ情報エリア２１に遅延させていたアドレス情報／ＩＤ情報をクロッキング情報に基づいて書き込むことができる。
【００５６】
また、本願発明では、磁気ディスク１を筐体に組み込んで出荷する前に、製造ラインにおいて磁気ディスク全面に渡ってアドレス情報／ＩＤ情報の書き込みを行っても良いし、また、磁気ディスク１を筐体に組み込んで出荷した後、若しくは製造ラインのアウト後、磁気ディスク１にデータの記録を行うときにホスト側から記録開始コマンドが発行される度に、記録トラックＴＮごとにアドレス情報／ＩＤ情報の書き込みを行っても良い。とくに、後者のようにすれば、セット量産時のタクトタイムを下げることができる。
【００５７】
また、本願発明では、磁気ディスク１に書き込む信号のフォーマットを、既存の磁気ディスク再生システムに搭載されているＩＣに採用されているフォーマットに近い形のフォーマットにできるため、ＩＣの流用がしやすい特徴がある。
【００５８】
また、本願発明では、磁気ディスクの製造過程において、アドレス情報／ＩＤ情報に基づいて、各アドレス情報／ＩＤ情報エリアにエッチング等によりアドレス情報／ＩＤ情報を形成（書き込んでおく）するので、別工程によってアドレス情報／ＩＤ情報を書き込む必要がないためタクトタイムを下げることができる。
【００５９】
また、本発明は、図面を参照して説明した上述の実施例に限定されるものではなく、添付の請求の範囲及びその主旨を逸脱することなく、様々な変更、置換又はその同等のものを行うことができることは勿論である。
【図面の簡単な説明】
【００６０】
【図１】本願発明で用いられる磁気ディスクの模式図を示す。
【図２】図１に示す磁気ディスクの一部を拡大した図を示す。
【図３】図２に示す磁気ディスクの一部の拡大した図の第１の断面図を示す。
【図４】図２に示す磁気ディスクの一部の拡大した図の第２の断面図を示す。
【図５】磁気ディスクにアドレス情報／ＩＤ情報を書き込む装置の第１の例を示すブロック図である。
【図６】磁気情報が着磁された磁気ディスクの一部を拡大した図を示す。
【図７】磁気ディスクにアドレス情報／ＩＤ情報を書き込む装置の第２の例を示すブロック図である。
【図８】アドレス情報／ＩＤ情報の書き込みを遅延する様子を示す図である。
【図９】アドレス情報／ＩＤ情報エリアをエッチングした場合の磁気ディスクの一部を拡大した断面図を示す。
【図１０】図９に示す磁気ディスクを再生した際に得られる信号波形を示す図である。
【符号の説明】
【００６１】
１  磁気ディスク、２  マスターディスク、１０  基体、１１  中央孔、１２  記録領域部、２０  区分データ情報エリア、２１  アドレス情報／ＩＤ情報エリア、２２  ＰＥＳ（Position Error Signal）エリア、２３  クロッキングエリア、２４  ユニークエリア、３１  ディスクテーブル、３２  ディスク駆動モータ、３３  書込用磁気ヘッド、３４  ヘッドスライダ、３５  ヘッド駆動部、３６  信号源、５０  テーブル、５１  回転駆動部、５２  オーバーライトヘッド（ＯＷＨ）部、５３  ボイスコイルモータ（ＶＣＭ）、５４  ヘッドアンプ部、５５  ユニークエリア検出部、５６  遅延カウンタ、５７  アドレス情報／ＩＤ情報発生部、５８  ＰＬＬ部、５９  マイクロコンピュータ、６０  Ｆｌａｓｈ ＲＯＭ部、６１  制御部、ＴＮ  記録トラック、ＳＮ  セクタ、ＡＳ  コントロール情報記録領域、ＡＤ  データ情報記録領域
【図１】
2006228348.tif 000003
【図２】
2006228348.tif 000004
【図３】
2006228348.tif 000005
【図４】
2006228348.tif 000006
【図５】
2006228348.tif 000007
【図６】
2006228348.tif 000008
【図７】
2006228348.tif 000009
【図８】
2006228348.tif 000010
【図９】
2006228348.tif 000011
【図１０】
2006228348.tif 000012